(57)【要約】【課題】高効率で、かつ小型の照明手段制御回路を提供する。【解決手段】整流回路２のプラス出力側に接続した充電抵抗３と、充電抵抗３に直列に接続された電解コンデンサ４に並列に接続されると共に対象物に光を照射する照明手段６へ電流を供給する照明手段電流供給回路８と、電解コンデンサ４のマイナス側と整流回路２のマイナス出力側との間に配され、電解コンデンサ４に流れる電流をオン・オフするスイッチング素子５と、スイッチング素子５を制御するスイッチング素子制御回路７を含み、スイッチング素子制御回路７が、整流回路２の整流電圧の値が所定の値より小さい期間のみスイッチング素子５をオンさせ、充電抵抗３より電解コンデンサ４に充電し、充電された電解コンデンサ４よりスイッチング素子５のオン・オフ期間ともに照明手段電流供給回路８に電源供給するもので、高効率で、小型の照明手段制御回路を提供することができる。【選択図】図１
2014229422.tif 000002
【特許請求の範囲】
【請求項１】
商用電源を整流する整流回路と、当該整流回路のプラス出力側に接続した充電抵抗と、当該充電抵抗に直列に接続された電解コンデンサと、当該電解コンデンサに並列に接続されると共に対象物に光を照射する照明手段へ電流を供給する照明手段電流供給回路と、前記電解コンデンサのマイナス側と前記整流回路のマイナス出力側との間に配され、前記電解コンデンサに流れる電流をオンオフするスイッチング素子と、当該スイッチング素子を制御するためのスイッチング素子制御回路を含み、当該スイッチング素子制御回路が、前記整流回路による整流電圧の値が所定の値より小さい期間のみ前記スイッチング素子をオンさせ、前記充電抵抗より前記電解コンデンサに充電し、充電された当該電解コンデンサより前記スイッチング素子のオン・オフ期間ともに前記照明手段電流供給回路に電源供給するようにしたことを特徴とする照明手段制御回路。
【請求項２】
スイッチング素子としてＦＥＴを利用したことを特徴とする請求項１に記載の照明手段制御回路。
【請求項３】
スイッチング素子としてトランジスタを利用したことを特徴とする請求項１に記載の照明手段制御回路。
【発明の詳細な説明】
【技術分野】
【０００１】
本発明は、商用電源によって照明手段を点灯させる照明手段制御回路に関するものである。
【背景技術】
【０００２】
従来、この種の照明手段制御回路として容量性リアクタンス素子を利用した高効率な照明手段制御回路が存在する（例えば、特許文献１参照）。
【先行技術文献】
【特許文献】
【０００３】
【特許文献１】特開２００３−３３２６２５号公報
【発明の概要】
【発明が解決しようとする課題】
【０００４】
しかしながら、上記特許文献１に記載された従来の照明手段制御回路では、容量性リアクタンス素子が大きくなるため、制御回路が大きくなるという課題があった。
【０００５】
例えば、電源電圧Ｖが１００Ｖ、電源周波数が５０Ｈｚ、照明手段通電電流Ｉが２０ｍＡの場合、必要な容量性リアクタンスの容量Ｃは、Ｃ＝２０ｍＡ／（２×π×５０Ｈｚ×１００Ｖ）＝０．６４μＦとなり、容量性リアクタンス素子ボディーの大きさはおよそＬ×Ｔ×Ｈ＝２６ｍｍ×１０ｍｍ×２０ｍｍとなり、この部品だけで大きな部品配置空間が必要となる。ただし、この計算ではコンデンサのリアクタンスＸｃに対して容量性リアクタンス素子に直列接続される抵抗の和ＲがＸｃ＞＞Ｒの関係にあるため、ベクトル計算をしていないので若干の誤差を含んでいる。
【０００６】
本発明は上記従来の課題を解決するもので、高効率で、かつ小型の照明手段制御回路を提供することを目的とする。
【課題を解決するための手段】
【０００７】
前記従来の課題を解決するために本発明の照明手段制御回路は、商用電源を整流する整流回路と、当該整流回路のプラス出力側に接続した充電抵抗と、当該充電抵抗に直列に接続された電解コンデンサと、当該電解コンデンサに並列に接続されると共に対象物に光を照射する照明手段へ電流を供給する照明手段電流供給回路と、前記電解コンデンサのマイナス側と前記整流回路のマイナス出力側との間に配され、前記電解コンデンサに流れる電流をオン・オフするスイッチング素子と、当該スイッチング素子を制御するためのスイッチング素子制御回路を含み、当該スイッチング素子制御回路が、前記整流回路による整流電圧の値が所定の値より小さい期間のみ前記スイッチング素子をオンさせ、前記充電抵抗より前記電解コンデンサに充電し、充電された当該電解コンデンサより前記スイッチング素子のオン・オフ期間ともに前記照明手段電流供給回路に電源供給するようにしたもので、高効率で、かつ小型の照明手段制御回路を提供することができる。
【発明の効果】
【０００８】
本発明の商用電源によって照明手段を点灯する照明手段制御回路は、高効率で、かつ小型の照明手段制御回路を提供することができる。
【図面の簡単な説明】
【０００９】
【図１】本発明の第１の実施の形態における照明手段制御回路の回路図
【図２】本発明の第２の実施の形態における照明手段制御回路の回路図
【図３】本発明の第３の実施の形態における照明手段制御回路の回路図
【発明を実施するための形態】
【００１０】
第１の発明は、商用電源を整流する整流回路と、当該整流回路のプラス出力側に接続した充電抵抗と、当該充電抵抗に直列に接続された電解コンデンサと、当該電解コンデンサに並列に接続されると共に対象物に光を照射する照明手段へ電流を供給する照明手段電流供給回路と、前記電解コンデンサのマイナス側と前記整流回路のマイナス出力側との間に配され、前記電解コンデンサに流れる電流をオン・オフするスイッチング素子と、当該スイッチング素子を制御するためのスイッチング素子制御回路を含み、当該スイッチング素子制御回路が、前記整流回路による整流電圧の値が所定の値より小さい期間のみ前記スイッチング素子をオンさせ、前記充電抵抗より前記電解コンデンサに充電し、充電された当該電解コンデンサより前記スイッチング素子のオン・オフ期間ともに前記照明手段電流供給回路に電源供給するようにしたもので、高効率で、かつ小型の照明手段制御回路を提供することができる。
【００１１】
第２の発明は、特に、第１の発明のスイッチング素子としてＦＥＴを利用したもので、照明手段制御回路をより小型化することができる。
【００１２】
第３の発明は、特に、第１の発明のスイッチング素子としてトランジスタを利用したもので、照明手段制御回路をより小型化することができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における照明手段制御回路の回路図である。
【００１５】
図１において、本実施の形態における照明手段制御回路は、商用電源１を整流する整流回路２と、当該整流回路２のプラス出力側に接続した充電抵抗３と、当該充電抵抗３に直列に接続された電解コンデンサ４と、当該電解コンデンサ４に並列に接続され対象物に光を照射する照明手段６へ電流を供給する照明手段電流供給回路８と、電解コンデンサ４のマイナス側と整流回路２のマイナス出力側との間に配され、電解コンデンサ４に流れる電流をオン・オフするスイッチング素子５と、当該スイッチング素子５を制御するためのスイッチング素子制御回路７を含み、当該スイッチング素子制御回路７が、整流回路２による整流電圧の値が所定の値より小さい期間のみスイッチング素子５をオンさせ、充電抵抗３より電解コンデンサ４に充電し、充電された当該電解コンデンサ４よりスイッチング素子５のオン・オフ期間ともに前記照明手段電流供給回路８に電源供給するように構成したものである。
【００１６】
以上のように、本実施の形態における照明手段制御回路においては、商用電源１の電圧が所定の電圧より小さい時のみ電解コンデンサ４に充電し、充電された電解コンデンサ４を電源として常に照明手段電流供給回路８より照明手段６に電流を供給するため、電力消費を抑えることができる。
【００１７】
また、照明手段６に数十ｍＡの電流を供給する場合であれば、消費電力は０．５Ｗ程に抑えられ、回路部品も小型部品のみで構成できるため、高効率で、かつ小型の照明手段制御回路を提供することができる。
【００１８】
（実施の形態２）
図２は、本発明の第２の実施の形態における照明手段制御回路の回路図である。なお、上記実施の形態１と同一構成の部品については同一符号を付し、その説明を省略する。
【００１９】
本実施の形態における照明手段制御回路は、上記第１の実施の形態におけるスイッチング素子５として、ＦＥＴを利用している。スイッチング素子５のオン・オフによる制御内容は実施の形態１と同様のため、説明を省略し、ＦＥＴを制御するスイッチング素子制御回路７の制御内容について説明する。
【００２０】
本実施の形態における照明手段制御回路のスイッチング素子制御回路７は、整流回路２の出力間に接続されており、ツェナダイオード９、１３と、抵抗１０〜１２、トランジスタ１５を含む回路部品により構成されている。
【００２１】
整流回路２による整流電圧の値が、ツェナダイオード９のツェナ電圧より低い時には当該ツェナダイオード９は導通しないため、抵抗１０を通してトランジスタ１５のベース−エミッタ間に電流が流れず、トランジスタ１５はオフ状態となり、抵抗１２を通してツェナダイオード１３に電流が流れるためＦＥＴ５のゲートにツェナダイオード１３のツェナ電圧が印加され、ＦＥＴ５はオンする。
【００２２】
整流回路２による整流電圧の値が当該ツェナダイオード９のツェナ電圧より高い時は、ツェナダイオード９が導通し、抵抗１０を通してトランジスタ１５のベース−エミッタ間に電流が流れ、トランジスタ１５はオン状態となり、ＦＥＴ５のゲートに電圧が印加されないため、ＦＥＴ５はオフする。
【００２３】
抵抗１１はトランジスタ１５のベース−エミッタ間の電位を安定させるためのものである。
【００２４】
以上のように本実施の形態によれば、照明手段制御回路をより小型化することができる。
【００２５】
（実施の形態３）
図３は、本発明の第３の実施の形態における照明手段制御回路の回路図である。なお、上記実施の形態１、２と同一構成の部品については同一符号を付し、その説明を省略する。
【００２６】
本実施の形態における照明手段制御回路は、同図３に示すように上記第１の実施の形態におけるスイッチング素子５として、トランジスタ５ａを利用したものである。スイッチング素子５のオン・オフによる制御内容は実施の形態１と同様のため、説明を省略し、トランジスタ５ａを制御するスイッチング素子制御回路７の制御内容について説明する。
【００２７】
スイッチング素子制御回路７は、整流回路２の出力間に接続されており、ツェナダイオード９、抵抗１０〜１２、１４、トランジスタ１５を含む回路部品により構成されている。
【００２８】
以上のように構成された本実施の形態における照明手段制御回路の動作、作用は以下の通りである。
【００２９】
整流回路２による整流電圧の値がツェナダイオード９のツェナ電圧より低い時には当該ツェナダイオード９は導通しないため、抵抗１０を通してトランジスタ１５のベース−エミッタ間に電流が流れず、トランジスタ１５はオフ状態となり、抵抗１２を通してトランジスタ５ａのベース−エミッタ間に電流が流れ、トランジスタ５ａはオンする。
【００３０】
一方で、整流回路２による整流電圧の値が当該ツェナダイオード９のツェナ電圧より高い時には、当該ツェナダイオード９が導通するため、抵抗１０を通してトランジスタ１５のベース−エミッタ間に電流が流れ、トランジスタ１５はオン状態となり、トランジスタ５ａのベースーエミッタ間に電圧が印加されないため、トランジスタ５ａはオフする。
【００３１】
抵抗１４はトランジスタ５ａのベース−エミッタ間の電位を安定させるためのものである。
【００３２】
以上のように本実施の形態によれば、照明手段制御回路をより小型化することができる。
【産業上の利用可能性】
【００３３】
以上のように、本発明にかかる照明手段制御回路は、商用電源の電圧が所定の電圧より小さい時のみ電解コンデンサに充電し、充電された電解コンデンサを電源として常に照明手段電流供給回路より照明手段に電流を供給するため、電力消費を抑えられる。また、照明手段に数十ｍＡの電流を供給する場合であれば、消費電力は０．５Ｗ程に抑えられ、回路部品も小型部品のみで構成できるため、高効率で、かつ小型の照明手段制御回路とすることができる。
【符号の説明】
【００３４】
１  商用電源
２  整流回路
３  充電抵抗
４  電解コンデンサ
５  スイッチング素子
５ａ、１５  トランジスタ
６  照明手段
７  スイッチング素子制御回路
８  照明手段電流供給回路
【図１】
2014229422.tif 000003
【図２】
2014229422.tif 000004
【図３】
2014229422.tif 000005